(57)【要約】【課題】  異常過熱時における安全性および負荷特性に優れたリチウム二次電池と、該リチウム二次電池を構成し得るセパレータとを提供する。【解決手段】  ポリオレフィン製微多孔質膜の片面に、塊状の無機微粒子Ａを主体として含む多孔質膜Ａを有し、かつ前記ポリオレフィン製微多孔質膜の他面に、板状の無機微粒子Ｂを主体として含む多孔質膜Ｂを有することを特徴とする電池用セパレータ、および本発明のセパレータを有することを特徴とするリチウム二次電池により、前記課題を解決する。【選択図】  図１
2011065850.tif 000002
【特許請求の範囲】
【請求項１】
ポリオレフィン製微多孔質膜の片面に、塊状の無機微粒子Ａを主体として含む多孔質膜Ａを有し、かつ前記ポリオレフィン製微多孔質膜の他面に、板状の無機微粒子Ｂを主体として含む多孔質膜Ｂを有することを特徴とする電池用セパレータ。
【請求項２】
多孔質膜Ａに含まれる無機微粒子Ａは、平均粒子径が０．２〜１μｍである請求項１に記載の電池用セパレータ。
【請求項３】
多孔質膜Ｂに含まれる無機微粒子Ｂは、ＢＥＴ法による比表面積が７〜１０ｍ２／ｇである請求項１または２に記載の電池用セパレータ。
【請求項４】
正極、負極、非水電解液およびセパレータを有するリチウム二次電池であって、
前記セパレータが請求項１〜３のいずれかに記載の電池用セパレータであることを特徴とするリチウム二次電池。
【請求項５】
セパレータの多孔質膜Ａが正極に対向し、多孔質膜Ｂが負極に対向している請求項４に記載のリチウム二次電池。
【請求項６】
非水電解液が、シクロヘキシルベンゼンまたはその誘導体を含有している請求項４または５に記載のリチウム二次電池。
【請求項７】
負極は、アルゴンイオンレーザーラマンスペクトルにおける１５８０ｃｍ−１のピーク強度に対する１３６０ｃｍ−１のピーク強度比であるＲ値が０．１〜０．５で、００２面の面間隔ｄ００２が０．３３８ｎｍ以下の黒鉛を負極活物質として含有している請求項４〜６のいずれかに記載のリチウム二次電池。
【発明の詳細な説明】
【技術分野】
【０００１】
本発明は、耐熱性に優れた電池用セパレータと、それを用いたリチウム二次電池に関するものである。
【背景技術】
【０００２】
リチウム二次電池などの電気化学素子は、エネルギー密度が高いという特徴から、携帯電話やノート型パーソナルコンピューターなどの携帯機器の電源として広く用いられている。例えば、リチウム二次電池では、携帯機器の高性能化に伴って高容量化が更に進む傾向にあり、安全性の確保が重要となっている。
【０００３】
現行のリチウム二次電池では、正極と負極の間に介在させるセパレータとして、例えば厚みが２０〜３０μｍ程度のポリオレフィン系の微多孔質膜が使用されている。また、セパレータの素材としては、電池の熱暴走温度以下でセパレータの構成樹脂を溶融させて空孔を閉塞させ、これにより電池の内部抵抗を上昇させて短絡の際などに電池の安全性を向上させる所謂シャットダウン効果を確保するため、融点の低いポリエチレンが適用されることがある。
【０００４】
ところで、こうしたセパレータとしては、例えば、多孔化と強度向上のために一軸延伸または二軸延伸したフィルムが用いられている。このようなセパレータは、単独で存在する膜として供給されるため、作業性などの点で一定の強度が要求され、これを前記延伸によって確保している。しかし、このような延伸フィルムでは結晶化度が増大しており、シャットダウン温度も、電池の熱暴走温度に近い温度にまで高まっているため、電池の安全性確保のためのマージンが十分とは言い難い。
【０００５】
また、前記延伸によってフィルムにはひずみが生じており、これが高温に曝されると、残留応力によって収縮が起こるという問題がある。収縮温度は、融点、すなわちシャットダウン温度と非常に近いところに存在する。このため、ポリオレフィン系の微多孔質膜セパレータを使用するときには、充電異常時などに電池の温度がシャットダウン温度に達すると、電流を直ちに減少させて電池の温度上昇を防止しなければならない。空孔が十分に閉塞せず電流を直ちに減少できなかった場合には、電池の温度は容易にセパレータの収縮温度にまで上昇するため、内部短絡の危険性があるからである。
【０００６】
このようなセパレータの熱収縮による短絡を防止し、電池の信頼性を高める技術として、例えば、シャットダウン機能を確保するための樹脂を主体として含む第１セパレータ層と、耐熱温度が１５０℃以上のフィラーを主体として含む第２セパレータ層とを有する多孔質のセパレータを用いて電気化学素子を構成することが提案されている（特許文献１）。
【０００７】
特許文献１の技術によれば、異常過熱した際にも熱暴走が生じ難い安全性に優れたリチウム二次電池などの電気化学素子を提供することができる。
【０００８】
また、セパレータの耐熱収縮性を更に向上させる目的で、耐熱温度が１５０℃以上のフィラーとして板状粒子を用いる提案もされている（特許文献２および３）。
【先行技術文献】
【特許文献】
【０００９】
【特許文献１】国際公開第２００７／６６７６８号公報
【特許文献２】特開２００７−１５７７２３号公報
【特許文献３】特開２００８−４４３９号公報
【発明の概要】
【発明が解決しようとする課題】
【００１０】
現在、リチウム二次電池の利用範囲は更に広まる傾向にあり、それに伴って高容量化や高性能化が要求される。前記の板状粒子を用いたセパレータも電池の高性能化に一役買っているものの、例えばパワーツールの電源用途に利用されるリチウム二次電池の場合には、高電流下での充放電特性（すなわち、負荷特性）が重要であり、このような点において、前記の技術には未だ改善の余地がある。
【００１１】
本発明は、前記事情に鑑みてなされたものであり、その目的は、異常過熱時における安全性および負荷特性に優れたリチウム二次電池と、該リチウム二次電池を構成し得るセパレータとを提供することにある。
【課題を解決するための手段】
【００１２】
前記目的を達成し得た本発明の電池用セパレータは、ポリオレフィン製微多孔質膜の片面に、塊状の無機微粒子Ａを主体として含む多孔質膜Ａを有し、かつ前記ポリオレフィン製微多孔質膜の他面に、板状の無機微粒子Ｂを主体として含む多孔質膜Ｂを有することを特徴とするものである。
【００１３】
また、本発明のリチウム二次電池は、正極、負極、非水電解液およびセパレータを有するリチウム二次電池であって、前記セパレータが本発明の電池用セパレータであることを特徴とするものである。
【発明の効果】
【００１４】
本発明によれば、異常過熱時における安全性および負荷特性に優れたリチウム二次電池と、前記リチウム二次電池を構成し得る耐熱性に優れたセパレータとを提供することができる。
【図面の簡単な説明】
【００１５】
【図１】本発明の電池用セパレータの一例を模式的に表す断面図である。
【発明を実施するための形態】
【００１６】
図１に本発明の電池用セパレータ（以下、「セパレータ」と省略する。）の一例を模式的に表す断面図を示している。本発明のセパレータは、ポリオレフィン製微多孔質膜１の片面に、塊状の無機微粒子Ａを主体として含む多孔質膜２（多孔質膜Ａ）を有しており、前記微多孔質膜の他面に、板状の無機微粒子Ｂを主体として含む多孔質膜３（多孔質膜Ｂ）を有している。
【００１７】
セパレータにおけるポリオレフィン製微多孔質膜は、本発明のセパレータを用いた電池において、正極と負極の短絡を防止しつつ、イオンを透過するセパレータ本来の機能を有するものである。また、ポリオレフィン製微多孔質膜によって、誤動作などによって電池内が高温になった際に、微多孔質膜を構成するポリオレフィンが溶融してセパレータの孔を塞ぐシャットダウン機能も確保できる。
【００１８】
セパレータにおける多孔質膜Ａおよび多孔質膜Ｂは、セパレータに耐熱性を付与する役割を担うものである。すなわち、誤動作などによって電池内が高温になった際に、多孔質膜Ａおよび多孔質膜Ｂが存在することで、セパレータ全体の熱収縮が抑えられ、正負極の接触による短絡が抑制される。
【００１９】
このうち、多孔質膜Ｂは、板状の無機微粒子Ｂを主体として含み、高い耐熱収縮性を有している。しかし、板状の無機微粒子を含有する多孔質膜では、膜内で無機微粒子が重なり合い、多孔質膜内の空孔の経路長（いわゆる曲路率）が大きくなるため、多孔質膜中のイオンの透過が阻害される。セパレータの耐熱性を良好に高めるには、板状の無機微粒子を含有する多孔質膜を、ある程度厚くすることが好ましいが、このようにすると多孔質膜内の空孔の経路長が非常に長くなり、多孔質膜内のイオンの透過性が大きく損なわれ、例えば、電池の負荷特性が低下してしまう。
【００２０】
そこで、本発明のセパレータでは、基材となるポリオレフィン製微多孔質膜の片面に、板状の無機微粒子Ｂを主体として含む多孔質膜Ｂを設けるとともに、他面には、塊状の無機微粒子Ａを主体として含む多孔質膜Ａを設けている。多孔質膜Ａは、塊状の無機微粒子Ａを含有していることで、多孔質膜Ｂよりは耐熱収縮性が劣るが、その一方で、空孔の経路長が多孔質膜Ｂよりも短くなる。そのため、本発明のセパレータでは、多孔質膜Ｂの厚みをある程度薄くし、その空孔の経路長を可及的に短くしてイオンの透過性を高めても、それに伴って低下する耐熱収縮性を、より空孔の経路長が短くイオン透過性が良好な多孔質膜Ａによって補うことができるため、耐熱性とイオン透過性とを高いレベルで両立できる。
【００２１】
よって、このような本発明のセパレータを使用することで、異常過熱時における安全性に優れ、かつ負荷特性も良好なリチウム二次電池を構成することができる。
【００２２】
セパレータに係るポリオレフィン製微多孔質膜としては、従来からリチウムイオン二次電池用のセパレータとして用いられているポリオレフィン［ポリエチレン（ＰＥ）、ポリプロピレン（ＰＰ）、エチレン−プロピレン共重合体など］製の微多孔質膜（溶剤抽出法、乾式または湿式延伸法などにより形成された孔を多数有するイオン透過性の微多孔質膜）を使用することができる。なお、シャットダウン機能をより良好に確保する観点からは、微多孔質膜を構成するポリオレフィンは、ＰＥなどのように、その融点が８０℃以上１５０℃以下（より好ましくは１００℃以上）、すなわち、ＪＩＳ  Ｋ  ７１２１の規定に準じて、示差走査熱量計（ＤＳＣ）を用いて測定される融解温度が、８０℃以上１５０℃以下（より好ましくは１００℃以上）のものであることが好ましい。
【００２３】
ポリオレフィン微多孔質膜の厚みは、ある程度の強度を確保して破れなどを防止する観点から、１０μｍ以上であることが好ましく、また、電池の内部抵抗の増大を抑える観点から、３０μｍ以下であることが好ましい。
【００２４】
セパレータに係るポリオレフィン微多孔質膜の両面に形成される多孔質膜のうち、多孔質膜Ａが主体として含む無機微粒子Ａは、その形状が塊状であり、例えば、略球状（真球状を含む）や、板状を除く多面体形状（例えば、粒子中の最大長さと最小長さとの比であるアスペクト比が、５未満、好ましくは３以下のもの）が含まれる。
【００２５】
無機微粒子Ａの平均粒子径は、多孔質膜Ａの空孔の経路長をより短くして、多孔質膜Ａ内のイオン透過性をより良好にする観点から、１μｍ以下であることが好ましい。ただし、無機微粒子Ａが小さすぎると、その表面積が大きくなって、多孔質膜Ａ内での分散性が低下したり、粒子表面の付着水が多くなって電池特性に悪影響を与えることがある。よって、無機微粒子Ａの平均粒子径は、０．２μｍ以上であることが好ましい。なお、本明細書でいう無機微粒子（後記の多孔質膜Ｂの有する無機微粒子も含む）の平均粒子径は、レーザー散乱式の粒度分布計（例えば、堀場製作所製「ＬＡ−９２０」）を使用し、無機微粒子を溶解しない媒体に分散させて測定した体積基準の積算分率５０％における粒子直径の値であるＤ５０％を意味している。
【００２６】
多孔質膜Ａの厚みは、薄すぎるとセパレータの熱収縮を抑制する効果が小さくなる虞があることから、１μｍ以上であることが好ましく、また、厚すぎるとセパレータの総厚みが大きくなって電池のインピーダンスを過度に上昇させる虞があることから、５μｍ以下であることが好ましい。
【００２７】
セパレータに係るポリオレフィン微多孔質膜の両面に形成される多孔質膜のうち、多孔質膜Ｂは、板状の無機微粒子Ｂを主体として含むが、かかる無機微粒子Ｂは、ＢＥＴ法による比表面積が７〜１０ｍ２／ｇであることが好ましく、また、一次粒子体であることが好ましい。このような無機微粒子Ｂを使用することで、より耐熱収縮性に優れた多孔質膜Ｂを形成することができる。
【００２８】
更に、多孔質膜Ｂに係る無機微粒子は、一次粒子形状を幾何学形状とした一次粒子の大きさおよび真密度から算出される理論比表面積と、ＢＥＴ法による比表面積との差が±１５％以内であることがより好ましく、この場合には、多孔質膜Ｂにおける無機微粒子の充填性がより向上し、更に高い耐熱収縮性を有するセパレータを得ることができる。なお、多孔質膜Ａに係る無機微粒子Ａや多孔質膜Ｂに係る無機微粒子Ｂは、必要に応じて二次凝集体のものを解砕処理するなどして、その平均粒子径や比表面積を調整することができ、また、無機微粒子Ｂとして好ましい一次粒子体とすることができるが、前記の理論比表面積とＢＥＴ法による比表面積との差は、この解砕処理による一次粒子体の形成の程度の目安とすることができる。
【００２９】
本明細書でいう無機微粒子の理論比表面積は、無機微粒子の一次粒子を幾何学形状と仮定して、その表面積、体積および密度から、下記式により算出することができる。
理論比表面積  ＝  表面積／（体積×密度）
（ここで、理論比表面積の単位をｍ２／ｇとするならば、表面積の単位はｍ２、体積の単位はｍ３、密度の単位はｇ／ｍ３とする。）
【００３０】
なお、前記の無機微粒子の密度は、液相置換法（ピクノメーター法）で測定した値、具体的には、例えばセイシン企業社製「ＭＡＴ−７０００」を使用し、置換媒体にエタノールを用いて測定温度２５±５℃で測定した値、または定容積膨張法で測定した値、具体的には、例えば島津−マイクロメリティック社製の乾式自動密度計「アキュピック１３３０−０１」を用い、置換ガスにＨｅを使用し、測定温度を２５℃とし、サンプル仕込み容積を見かけで１０ｃｍ３として測定した値である。
【００３１】
無機微粒子の表面積と体積とを幾何学的に算出する場合には、無機微粒子の粒子径の情報が必要である。球体形状の無機微粒子であれば、その粒子径はレーザー散乱法などの一般の粒度分布測定装置から得られる平均粒子径（Ｄ５０％）で求めることもできる。しかし、アスペクト比（後述する）の高い板状粒子（例えば５以上）の場合には、板状粒子中の最大長さと厚みの両方の情報が必要である。この場合、通常の粒度分布測定装置から得られる平均粒子径だけでは、いずれか一方の情報しか得られないため、例えば、無機微粒子を走査型電子顕微鏡（ＳＥＭ）で観察し、任意の粒子の寸法をスケールなどで測定する方法が好適に採用される。特に任意の１００個以上の粒子を測定すれば、より精度の高い情報が得られる。
【００３２】
なお、多孔質膜Ｂに係る前記無機微粒子Ｂは、前記の方法により求められる粒子中の最大長さは、０．５〜３μｍであることが好ましく、また、前記の方法により求められる厚みは、０．０５〜０．３μｍであることが好ましい。更に、無機微粒子Ｂ中の最大長さと厚みとの比で表されるアスペクト比は、５以上であることが好ましく、１０以上であることがより好ましく、また、１００以下であることが好ましく、５０以下であることがより好ましい。無機微粒子Ｂや無機微粒子Ａのアスペクト比は、ＳＥＭにより撮影した画像を、画像解析することにより求められる。
【００３３】
多孔質膜Ｂの厚みは、薄すぎると耐熱収縮性が小さくなる虞があることから、１μｍ以上であることが好ましく、また、厚すぎると膜内の経路長が長くなって、負荷特性向上効果が小さくなる虞があることから、５μｍ以下であることが好ましい。
【００３４】
多孔質膜Ａに含まれる無機微粒子Ａおよび多孔質膜Ｂに含まれる無機微粒子Ｂの具体例としては、例えば、酸化鉄、Ａｌ２Ｏ３（アルミナ）、ＳｉＯ２（シリカ）、ＴｉＯ２、ＢａＴｉＯ３、ＺｒＯ２などの無機酸化物；窒化アルミニウム、窒化ケイ素などの無機窒化物；フッ化カルシウム、フッ化バリウム、硫酸バリウムなどの難溶性のイオン結晶；シリコン、ダイヤモンドなどの共有結合性結晶；モンモリロナイトなどの粘土；などが挙げられる。ここで、前記無機酸化物は、ベーマイト、ゼオライト、アパタイト、カオリン、ムライト、スピネル、オリビン、マイカなどの鉱物資源由来物質またはこれらの人造物などであってもよい。また、金属、ＳｎＯ２、スズ−インジウム酸化物（ＩＴＯ）などの導電性酸化物、カーボンブラック、グラファイトなどの炭素質材料などで例示される導電性材料の表面を、電気絶縁性を有する材料（例えば、前記の無機酸化物など）で被覆することにより電気絶縁性を持たせた粒子であってもよい。耐酸化性をより高める観点から、前記の無機酸化物の粒子（微粒子）が好ましく、中でも、アルミナ、シリカおよびベーマイトが好ましく、特にベーマイトが好ましい。
【００３５】
なお、一次粒子が板状の無機微粒子としては、各種市販品が挙げられ、例えば、旭硝子エスアイテック社製「サンラブリー（商品名）」（シリカ）、石原産業社製「ＮＳＴ−Ｂ１（商品名）」の粉砕品（ＴｉＯ２）、堺化学工業社製の板状硫酸バリウム「Ｈシリーズ（商品名）」、「ＨＬシリーズ（商品名）」、林化成社製「ミクロンホワイト（商品名）」（タルク）、林化成社製「ベンゲル（商品名）」（ベントナイト）、河合石灰社製「ＢＭＭ（商品名）」や「ＢＭＴ（商品名）」（ベーマイト）、河合石灰社製「セラシュールＢＭＴ−Ｂ（商品名）」（アルミナ）、キンセイマテック社製「セラフ（商品名）」（アルミナ）、斐川鉱業社製「斐川マイカ  Ｚ−２０（商品名）」（セリサイト）などが入手可能である。
【００３６】
前記の通り、無機微粒子が二次凝集体である場合には、一次粒子化したり、比表面積や粒子径を調整したりする目的で、乾式または湿式により解砕処理を施すことができる。例えば、板状粒子が凝集して平均粒子径が４〜５μｍの二次凝集体を構成しているアルミナ、シリカ、ベーマイトなどを、溶媒（水など）や分散剤（ポリカルボン酸アンモニウム塩など）とともに解砕機に装填して処理することにより、解砕処理を施すことができる。
【００３７】
解砕機としては、ジェットミル、高圧ホモジナイザー、ハイブリダイザーなどのメディアレスの粉砕機や、ボールミル、ビーズミル、サンドミル、振動ミルなどのメディアを使用する分散機などが挙げられる。特に低エネルギーでしかも解砕効率を高めるためには、部材の衝突力を利用する粉砕機よりも、メディア使用の分散機が好ましい。メディアとしては直径が０．１〜１０ｍｍ程度のジルコニア、アルミナなど、通常のセラミックス材料が好適に用いられる。
【００３８】
多孔質層Ａは塊状の無機微粒子Ａを主体として含むが、ここでいう「主体として含む」とは、無機微粒子Ａを、多孔質膜Ａの構成成分の全体積中、５０体積％以上含むことを意味している。多孔質層Ａにおける無機微粒子Ａの量は、多孔質膜Ａの構成成分の全体積中、７０体積％以上であることが好ましく、８０体積％以上であることがより好ましく、９０体積％以上であることが更に好ましい。多孔質層Ａ中において無機微粒子Ａを前記のように高含有量とすることで、セパレータ全体の熱収縮を良好に抑制することができる。また、多孔質層Ａには、無機微粒子Ａ間を結着したり多孔質層Ａに係る無機微粒子Ａとポリオレフィン製微多孔質膜とを結着したりするためにバインダを含有させることが好ましく、このような観点から、多孔質層Ａにおける無機微粒子Ａの量の好適上限値は、例えば、多孔質膜Ａの構成成分の全体積中、９９体積％である。なお、多孔質膜Ａにおける無機微粒子Ａの量を７０体積％未満とすると、例えば、多孔質膜Ａ中のバインダ量を多くする必要が生じるが、その場合には多孔質膜Ａの空孔がバインダによって埋められてしまい、例えばセパレータとしての機能が低下する虞があり、また、開孔剤などを用いて多孔質化した場合には、無機微粒子Ａ同士の間隔が大きくなりすぎて、熱収縮を抑制する効果が低下する虞がある。
【００３９】
また、多孔質層Ｂは板状の無機微粒子Ｂを主体として含むが、ここでいう「主体として含む」とは、無機微粒子Ｂを、多孔質膜Ｂの構成成分の全体積中、５０体積％以上含むことを意味している。多孔質層Ｂにおける無機微粒子Ｂの量は、多孔質膜Ｂの構成成分の全体積中、７０体積％以上であることが好ましく、８０体積％以上であることがより好ましく、９０体積％以上であることが更に好ましい。多孔質層Ｂ中において無機微粒子Ｂを前記のように高含有量とすることで、セパレータ全体の熱収縮を良好に抑制することができる。また、多孔質層Ｂには、無機微粒子Ｂ間を結着したり多孔質層Ｂに係る無機微粒子Ｂとポリオレフィン製微多孔質膜とを結着したりするためにバインダを含有させることが好ましく、このような観点から、多孔質層Ｂにおける無機微粒子Ｂの量の好適上限値は、例えば、多孔質膜Ｂの構成成分の全体積中、９９体積％である。なお、多孔質膜Ｂにおける無機微粒子Ｂの量を７０体積％未満とすると、例えば、多孔質膜Ｂ中のバインダ量を多くする必要が生じるが、その場合には多孔質膜Ｂの空孔がバインダによって埋められてしまい、例えばセパレータとしての機能が低下する虞があり、また、開孔剤などを用いて多孔質化した場合には、無機微粒子Ｂ同士の間隔が大きくなりすぎて、熱収縮を抑制する効果が低下する虞がある。
【００４０】
多孔質膜Ａおよび多孔質膜Ｂには、無機微粒子間や無機微粒子とポリオレフィン製微多孔質膜とを結着する目的で、バインダを含有させてもよい。バインダとしては、電気化学的に安定かつ電解液に対して安定で、良好に接着できるものであればよいが、例えば、エチレン−酢酸ビニル共重合体（ＥＶＡ、酢酸ビニル由来の構造単位が２０〜３５モル％のもの）、エチレン−エチルアクリレート共重合体などのエチレン−アクリル酸共重合体、フッ素系ゴム、スチレン−ブタジエンゴム（ＳＢＲ）、ポリビニルアルコール（ＰＶＡ）、ポリビニルブチラール（ＰＶＢ）、ポリビニルピロリドン（ＰＶＰ）、ポリＮ−ビニルアセトアミド、架橋アクリル樹脂、ポリウレタン、エポキシ樹脂などが用いられる。これらのバインダは、１種単独で使用してもよく、２種以上を併用してもよい。
【００４１】
前記例示のバインダの中でも、１５０℃以上の耐熱性を有する耐熱樹脂が好ましく、特に、エチレン−アクリル酸共重合体、フッ素系ゴム、ＳＢＲなどの柔軟性の高い材料がより好ましい。これらの具体例としては、三井デュポンポリケミカル社製の「エバフレックスシリーズ（ＥＶＡ、商品名）」、日本ユニカー社製のＥＶＡ、三井デュポンポリケミカル社製の「エバフレックス−ＥＥＡシリーズ（エチレン−アクリル酸共重合体、商品名）」、日本ユニカー社製のＥＥＡ、ダイキン工業社製の「ダイエルラテックスシリーズ（フッ素ゴム、商品名）」、ＪＳＲ社製の「ＴＲＤ−２００１（ＳＢＲ、商品名）」、日本ゼオン社製の「ＢＭ−４００Ｂ（ＳＢＲ、商品名）」などが挙げられる。また、アクリル酸ブチルを主成分とし、これを架橋した構造を有する低ガラス転移温度の架橋アクリル樹脂（自己架橋型アクリル樹脂）も好ましい。
【００４２】
多孔質膜Ａにおけるバインダの含有量は、無機微粒子間や無機微粒子とポリオレフィン製微多孔質膜とを良好に結着する観点から、体積比率で、多孔質膜Ａに含まれる無機微粒子Ａの体積を１００としたときに、１以上であることが好ましく、５以上であることがより好ましく、１０以上であることが更に好ましい。ただし、多孔質膜Ａ中のバインダ量が多すぎると、バインダによって多孔質膜Ａの空孔が埋められてしまい、イオンの透過性が悪くなって電池特性に悪影響が出る虞がある。よって、多孔質膜Ａにおけるバインダの含有量は、体積比率で、多孔質膜Ａに含まれる無機微粒子Ａの体積を１００としたときに、３０以下であることが好ましく、２０以下であることがより好ましい。
【００４３】
また、多孔質膜Ｂにおけるバインダの含有量は、無機微粒子間や無機微粒子とポリオレフィン製微多孔質膜とを良好に結着する観点から、体積比率で、多孔質膜Ｂに含まれる無機微粒子Ｂの体積を１００としたときに、１以上であることが好ましく、５以上であることがより好ましく、１０以上であることが更に好ましい。ただし、多孔質膜Ｂ中のバインダ量が多すぎると、バインダによって多孔質膜Ｂの空孔が埋められてしまい、イオンの透過性が悪くなって電池特性に悪影響が出る虞がある。よって、多孔質膜Ｂにおけるバインダの含有量は、体積比率で、多孔質膜Ｂに含まれる無機微粒子Ｂの体積を１００としたときに、３０以下であることが好ましく、２０以下であることがより好ましい。
【００４４】
本発明のセパレータは、例えば、塊状の無機微粒子Ａを水などの媒体に分散させ、必要に応じてバインダや増粘剤、消泡剤などを加えて調製した多孔質膜Ａ形成用のスラリーと、板状の無機微粒子Ｂを水などの媒体に分散させ、必要に応じてバインダや増粘剤、消泡剤などを加えて調製した多孔質膜Ｂ形成用のスラリーとを用意し、ポリオレフィン製微多孔質膜の片面に多孔質膜Ａ形成用のスラリーを塗布し乾燥して多孔質膜Ａを形成し、ポリオレフィン製微多孔質膜の他面に多孔質膜Ｂ形成用のスラリーを塗布し乾燥して多孔質膜Ｂを形成することにより製造できる。
【００４５】
多孔質膜Ａ形成用のスラリーおよび多孔質膜Ｂ形成用のスラリーに増粘剤を添加することで、これらのスラリーの貯蔵中やセパレータを連続的に製造している途中において、スラリー中での無機微粒子の沈降などを抑制できるため、スラリーの貯蔵性を高め、またセパレータの安定製造を可能とし得る。増粘剤の具体例としては、例えば、ポリエチレングリコール、ポリアクリル酸、ポリビニルアルコール、ビニルメチルエーテル−無水マレイン酸共重合体などの合成高分子；キサンタンガム、ウェランガム、ジェランガム、グアーガム、カラギーナン、セルロース誘導体（カルボキシメチルセルロース、ヒドロキシエチルセルロース、ヒドロキシプロピルセルロースなど）、デキストリン、アルファー化でんぷんなどのでんぷん類などの天然多糖類；モンモリロナイト、ヘクトライトなどの粘土鉱物；ヒュームドシリカ、ヒュームドアルミナ、ヒュームドチタニアなどの無機酸化物類；などが挙げられる。これらは１種単独で用いてもよく、２種以上を併用してもよい。これらの中でも、多孔質膜Ａ形成用のスラリーおよび多孔質膜Ｂ形成用のスラリーの媒体として好適な水に対する溶解性が高く、少量で増粘効果が高い点で、天然多糖類がより好ましく、キサンタンガム、ウェランガム、ジェランガムが更に好ましく、キサンタンガムが特に好ましい。また、多孔質膜Ａ形成用のスラリーおよび多孔質膜Ｂ形成用のスラリーにチクソ性を付与する場合には、ヒュームドシリカ、ヒュームドアルミナ、ヒュームドチタニアなどの無機酸化物類を添加することが好ましい。
【００４６】
多孔質膜Ａ形成用のスラリーおよび多孔質膜Ｂ形成用のスラリーにおける増粘剤の含有量としては、スラリーの粘度が無機微粒子の沈降などを抑制し安定な分散状態を維持するのに適しており、塗工機を用いて塗布する際に、良好な塗布性が得られる粘度範囲に調整できるような量とすることが好ましい。
【００４７】
なお、多孔質膜Ａ形成用のスラリーおよび多孔質膜Ｂ形成用のスラリーの粘度は、５ｍＰａ・ｓ以上であることが好ましく、１０ｍＰａ・ｓ以上であることがより好ましく、２０ｍＰａ・ｓ以上であることが更に好ましく、また、５００ｍＰａ・ｓ以下であることが好ましく、３００ｍＰａ・ｓ以下であることがより好ましく、１００ｍＰａ・ｓ以下であることが更に好ましい。スラリーの粘度が低すぎると無機微粒子の沈降を抑制することが困難になって、スラリーの安定性を確保し難くなる虞があり、粘度が高すぎるとスラリーを必要な厚みに均一に塗布することが困難になる。多孔質膜Ａ形成用のスラリーおよび多孔質膜Ｂ形成用のスラリーの粘度は、振動式粘度計またはＥ型粘度計により測定することができる。
【００４８】
ただし、増粘剤に、スラリー塗布後の乾燥工程で揮発しないものを用いる場合には、多孔質膜Ａや多孔質膜Ｂに増粘剤が残留することになるため、多量に用いるのは好ましくない。よって、多孔質膜Ａ形成用のスラリーおよび多孔質膜Ｂ形成用のスラリーにおける増粘剤の含有量は、スラリー中の全固形分（媒体以外の全成分）の全体積を１００としたとき、１０以下とすることが好ましく、５以下とすることがより好ましく、１以下とすることが更に好ましい。
【００４９】
多孔質膜Ａ形成用のスラリーや多孔質膜Ｂ形成用のスラリーをポリオレフィン製微多孔質膜に塗布する際には、ブレードコーター、ロールコーター、ダイコーター、マイクログラビアコーターなどを使用することができる。
【００５０】
なお、多孔質膜Ａ形成用のスラリーや多孔質膜Ｂ形成用のスラリーのポリオレフィン製微多孔質膜への塗布性を改善したり、多孔質膜Ａや多孔質膜Ｂとポリオレフィン製微多孔質膜との接着性を高めたりするなどの目的で、ポリオレフィン製微多孔質膜の表面改質を行ってもよい。ポリオレフィン製微多孔質膜の表面改質方法としては、コロナ放電処理、プラズマ放電処理、紫外線照射処理などが挙げられる。なお、環境上の問題から多孔質膜Ａ形成用のスラリーや多孔質膜Ｂ形成用のスラリーの媒体は水であることが望ましく、媒体として水を用いる場合には、親和性を確保する意味で前記表面改質処理は特に有効となる。
【００５１】
前記のようにして製造される本発明のセパレータは、その厚みが、１２〜４０μｍであることが好ましい。
【００５２】
本発明のリチウム二次電池は、本発明のセパレータを有していればよく、その他の構成、構造については特に制限はなく、従来から知られているリチウム二次電池で採用されている各種構成、構造を適用することができる。
【００５３】
本発明のリチウム二次電池に係る正極には、従来から知られているリチウム二次電池に用いられている正極、すなわち、リチウムイオンを吸蔵・放出可能な正極活物質を含有する正極を用いることができる。例えば、正極活物質には、Ｌｉ１＋ｘＭＯ２で（−０．１＜ｘ＜０．１、Ｍ：Ｃｏ、Ｎｉ、Ｍｎなど）で表されるリチウム含有遷移金属酸化物；ＬｉＭｎ２Ｏ４などのリチウムマンガン酸化物；ＬｉＭｎ２Ｏ４のＭｎの一部を他元素で置換したＬｉＭｎｘＭ（１−ｘ）Ｏ２；オリビン型ＬｉＭＰＯ４（Ｍ：Ｃｏ、Ｎｉ、Ｍｎ、Ｆｅ）；ＬｉＭｎ０．５Ｎｉ０．５Ｏ２；Ｌｉ（１＋ａ）ＭｎｘＮｉｙＣｏ（１−ｘ−ｙ）Ｏ２(−０．１＜ａ＜０．１、０＜ｘ＜０．５、０＜ｙ＜０．５）；などを適用することが可能であり、これらの正極活物質に公知の導電助剤（カーボンブラックなどの炭素材料など）やポリフッ化ビニリデン（ＰＶＤＦ）などの結着剤などを適宜添加した正極合剤を、集電体を芯材として成形体（正極合剤層）に仕上げたものなどを用いることができる。
【００５４】
正極の集電体としては、アルミニウムなどの金属の箔、パンチングメタル、網、エキスパンドメタルなどを用い得るが、通常、厚みが１０〜３０μｍのアルミニウム箔が好適に用いられる。
【００５５】
正極側のリード部は、通常、正極作製時に、集電体の一部に正極合剤層を形成せずに集電体の露出部を残し、そこをリード部とすることによって設けられる。ただし、リード部は必ずしも当初から集電体と一体化されたものであることは要求されず、集電体にアルミニウム製の箔などを後から接続することによって設けてもよい。
【００５６】
本発明のリチウム二次電池に係る負極には、従来から知られているリチウム二次電池に用いられている負極、すなわち、リチウムイオンを吸蔵・放出可能な負極活物質を含有する負極を用いることができる。例えば、負極活物質には、黒鉛、熱分解炭素類、コークス類、ガラス状炭素類、有機高分子化合物の焼成体、メソカーボンマイクロビーズ（ＭＣＭＢ）、炭素繊維などの、リチウムを吸蔵、放出可能な炭素系材料の１種または２種以上の混合物が用いられる。また、Ｓｉ、Ｓｎ、Ｇｅ、Ｂｉ、Ｓｂ、Ｉｎなどの元素およびその合金、リチウム含有窒化物、または酸化物などのリチウム金属に近い低電圧で充放電できる化合物、もしくはリチウム金属やリチウム／アルミニウム合金も負極活物質として用いることができる。
【００５７】
負極活物質には、アルゴンイオンレーザーラマンスペクトルにおける１５８０ｃｍ−１のピーク強度に対する１３６０ｃｍ−１のピーク強度比であるＲ値（Ｉ１３６０／Ｉ１５８０）が０．１以上０．５以下であり、００２面の面間隔ｄ００２が０．３３８ｎｍ以下である黒鉛を使用することがより好ましい。このような負極活物質を含有する負極を使用することで、低温でも優れた充電特性を維持し得るリチウム二次電池とすることができる。
【００５８】
Ｒ値およびｄ００２が前記の値を満足する黒鉛としては、例えば、表面が低結晶性の炭素材で被覆された黒鉛が挙げられる。そのような黒鉛は、ｄ００２が０．３３８ｎｍ以下である天然黒鉛または人造黒鉛を球状に賦形したものを母材とし、その表面を有機化合物で被覆し、８００〜１５００℃で焼成した後、解砕し、篩を通して整粒することによって得ることができる。なお、前記母材を被覆する有機化合物としては、芳香族炭化水素；芳香族炭化水素を加熱加圧下で重縮合して得られるタールまたはピッチ類；芳香族炭化水素の混合物を主成分とするタール、ピッチまたはアスファルト類；などが挙げられる。前記母材を前記有機化合物で被覆するには、前記有機化合物に前記母材を含浸・混捏する方法が採用できる。また、プロパンやアセチレンなどの炭化水素ガスを熱分解により炭素化し、これをｄ００２が０．３３８ｎｍ以下の黒鉛の表面に堆積させる気相法によっても、Ｒ値およびｄ００２が前記の値を満足する黒鉛を作製することができる。
【００５９】
電池には、これらの負極活物質に導電助剤（カーボンブラックなどの炭素材料など）やＰＶＤＦなどの結着剤などを適宜添加した負極合剤を、集電体を芯材として成形体（負極合剤層）に仕上げた負極が用いられる他、前記の各種合金やリチウム金属の箔を単独、若しくは集電体上に形成した負極を用いてもよい。
【００６０】
負極に集電体を用いる場合には、集電体としては、銅製やニッケル製の箔、パンチングメタル、網、エキスパンドメタルなどを用い得るが、通常、銅箔が用いられる。この負極集電体は、高エネルギー密度の電池を得るために負極全体の厚みを薄くする場合、厚みの上限は３０μｍであることが好ましく、また、下限は５μｍであることが望ましい。
【００６１】
負極側のリード部も、正極側のリード部と同様に、通常、負極作製時に、集電体の一部に負極剤層（負極活物質を有する層）を形成せずに集電体の露出部を残し、そこをリード部とすることによって設けられる。ただし、この負極側のリード部は必ずしも当初から集電体と一体化されたものであることは要求されず、集電体に銅製の箔などを後から接続することによって設けてもよい。
【００６２】
非水電解液には、例えば、有機溶媒にリチウム塩を溶解させた溶液が使用される。非水電解液に係る有機溶媒としては、例えば、ジメチルカーボネート、ジエチルカーボネート、メチルエチルカーボネート、プロピオン酸メチル、エチレンカーボネート、プロピレンカーボネート、ブチレンカーボネート、γ−ブチロラクトン、エチレングリコールサルファイト、１，２−ジメトキシエタン、１，３−ジオキソラン、テトラヒドロフラン、２−メチル−テトラヒドロフラン、ジエチルエーテルなどの１種のみからなる有機溶媒または２種以上の混合溶媒を使用することができる。また、リチウム塩には、例えば、ＬｉＣｌＯ４、ＬｉＰＦ６、ＬｉＢＦ４ 、ＬｉＡｓＦ６ 、ＬｉＳｂＦ６ 、ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２〔ここでＲｆはフルオロアルキル基〕などのうちの１種または２種以上を用いることができる。リチウム塩の非水電解液中の濃度としては、０．５〜１．５ｍｏｌ／ｌとすることが好ましく、０．９〜１．２５ｍｏｌ／ｌとすることがより好ましい。
【００６３】
また、非水電解液に、シクロヘキシルベンゼンまたはその誘導体（１−フルオロ−２−シクロヘキシルベンゼン、１−フルオロ−３−シクロヘキシルベンゼン、１−フルオロ−４−シクロヘキシルベンゼン、１−クロロ−４−シクロヘキシルベンゼン、１−ブロモ−４−シクロヘキシルベンゼン、１−ヨード−４−シクロヘキシルベンゼンなど）を含有させることが好ましく、これにより、リチウム二次電池の過充電時における安全性を高めることができる。シクロヘキシルベンゼンやその誘導体は、所定の電位以上となった場合に重合して正極表面に被膜を形成する。そのため、この被膜によって過充電時における正極と非水電解液との反応が抑制されることから、リチウム二次電池の安全性が向上する。
【００６４】
リチウム二次電池の製造に用いる非水電解液中のシクロヘキシルベンゼンまたはその誘導体の量は、その使用による効果をより良好に確保する観点から、非水電解液の溶媒１００質量部に対して、０．５質量部以上とすることが好ましい。ただし、非水電解液中のシクロヘキシルベンゼンまたはその誘導体の量が多すぎると、電池特性の低下を引き起こす虞がある。よって、リチウム二次電池の製造に用いる非水電解液中のシクロヘキシルベンゼンまたはその誘導体の量は、非水電解液の溶媒１００質量部に対して、３質量部以下とすることが好ましい。
【００６５】
また、非水電解液には、電池の安全性や充放電サイクル特性、高温貯蔵性といった特性を更に向上させる目的で、ビニレンカーボネート類、環状硫黄化合物（１，３−プロパンサルトン、１，４−ブタンスルトン、３−フェニル−１，３−プロパンサルトン、４−フェニル−１，４−ブタンスルトンなど）、ジフェニルジスルフィド、ビフェニル、ビニルエチルカーボネート、フルオロベンゼンなどの添加剤を適宜加えることもできる。
【００６６】
電極は、前記の正極と前記の負極とを、本発明のセパレータを介して積層した積層電極体や、更にこれを巻回した巻回電極体の形態で用いることができる。
【００６７】
なお、積層電極体や巻回電極体を形成する際には、多孔質膜Ａが正極に対向し、多孔質膜Ｂが負極に対向するようにセパレータを配置することが好ましい。
【００６８】
例えば、シクロヘキシルベンゼンまたはその誘導体を含有する非水電解液を用いた場合、これらは電池の通常の使用電位域においても僅かながら重合し、形成された重合物がセパレータの空港に侵入して目詰まりを引き起こし、電池特性を低下させることがある。しかしながら、セパレータの多孔質膜Ａが正極に対向している場合には、シクロヘキシルベンゼンまたはその誘導体の重合物によるセパレータ空孔の目詰まりを抑制することができる。
【００６９】
また、Ｒ値が０．１以上０．５以下といった表面が低結晶性の炭素材で被覆された黒鉛を負極活物質に使用した負極を用いて巻回電極体を形成すると、前記黒鉛の表面が粗面であるため、セパレータの強度によってはセパレータが圧縮され、短絡をしていなくても電極間の距離が小さくなって、充放電サイクルの際に容量低下を生じて信頼性が損なわれる場合もある。しかし、本発明の電池では、多孔質膜Ａおよび多孔質膜Ｂを有することで強度が高められた本発明のセパレータを使用しているために前記の信頼性低下を抑制でき、より強度の大きな多孔質膜Ｂが負極に対向するようにセパレータを配置することで、前記の信頼性低下の抑制効果をより高めることができる。
【００７０】
本発明の電池の形態としては、スチール缶やアルミニウム缶などを外装缶として使用した筒形（角筒形や円筒形など）などが挙げられる。また、金属を蒸着したラミネートフィルムを外装体としたソフトパッケージ電池とすることもできる。
【００７１】
本発明のリチウム二次電池は、異常過熱時における安全性と負荷特性とに優れていることから、こうした特性を生かして、パワーツール用の電源用途を始めとして、従来から知られているリチウム二次電池と同様の用途に好ましく適用することができる。
【実施例】
【００７２】
以下、実施例に基づいて本発明を詳細に述べる。ただし、下記実施例は、本発明を制限するものではない。
【００７３】
（実施例１）
（１）多孔質膜Ａ形成用スラリー（スラリーＡ）の調製
概略球状のベーマイト５ｋｇにイオン交換水５ｋｇと水系分散剤（ポリカルボン酸アンモニウム塩を４０質量％含有）０．５ｋｇとを加え、内容積２０Ｌ、転回数４０回／分のボールミルで１時間解砕処理をして分散液を調製した。得られた分散液の一部を採取し、その中のベーマイトの平均粒子径（Ｄ５０％）を、レーザー散乱式粒度分布計（堀場製作所製「ＬＡ−９２０」）を用い、屈折率を１．６５として測定したところ、０．６μｍであった。また、解砕処理後の分散液の一部を１２０℃で真空乾燥し、ＳＥＭ観察をしたところ、ベーマイト粒子の形状はほぼ球状であった。
【００７４】
更に、前記分散液５００ｇに、水系バインダ（変性ポリブチルアクリレートを４５質量％含有するディスパージョン）１７ｇを加え、スリーワンモーターで３時間攪拌してスラリーＡを得た。
【００７５】
（２）多孔質膜Ｂ形成用スラリー（スラリーＢ）の調製
概略金平糖形状で平均粒子径が４μｍのベーマイト（密度：３．０４ｇ／ｃｍ３）５ｋｇにイオン交換水５ｋｇと水系分散剤（ポリカルボン酸アンモニウム塩を４０質量％含有）０．５ｋｇとを加え、内容積２０Ｌ、転回数４０回／分のボールミルで１０時間解砕処理をして分散液を調製した。処理後の分散液の一部を１２０℃で真空乾燥し、ＳＥＭ観察をしたところ、ベーマイト粒子の形状はほぼ板状であった。そのうち、１００個の粒子の寸法測定をして理論比表面積を算出した。なお、粒子中の最大長さを粒子径（I）、厚みを粒子径（II）とした。
【００７６】
また、乾燥後の粒子０．３ｇを取り出し、日本ベル社製「ベルソープミニ」を用いて比表面積（ＢＥＴ法による比表面積）を測定した。
【００７７】
更に、前記分散液５００ｇに、水系バインダ（変性ポリブチルアクリレートを４５質量％含有するディスパージョン）１７ｇを加え、スリーワンモーターで３時間攪拌してスラリーＢを得た。
【００７８】
（３）セパレータの作製
リチウムイオン電池用セパレータに使用されるＰＥ製微多孔質膜（幅３００ｍｍ、厚み１６μｍ）の両面にコロナ放電処理を施し、その片面にスラリーＡを、もう一方の面にスラリーＢを、それぞれダイコーターを用いて塗布し、乾燥して、多孔質膜Ａ（厚み２μｍ）および多孔質膜Ｂ（厚み２μｍ）を有するセパレータを作製した。なお、前記セパレータにおける多孔質膜Ａ中の無機微粒子Ａ（ベーマイト）の体積含有率（多孔質膜Ａの構成成分の全体積中の体積含有率。多孔質膜Ａ中の無機微粒子Ａの体積含有率について、以下同じ。）は９０体積％であり、多孔質膜Ｂ中の無機微粒子Ｂ（ベーマイト）の体積含有率（多孔質膜Ｂの構成成分の全体積中の体積含有率）は９０体積％であった。
【００７９】
（実施例２）
平均粒子径が０．２μｍの球状アルミナを無機微粒子Ａに用いた以外は、実施例１と同様にしてスラリーＡを調製した。また、ボールミルの解砕処理時間を９時間としてスラリーＢを調製した以外は、実施例１と同様にしてスラリーＢを調製した。そして、これらのスラリーＡおよびスラリーＢを用いた以外は、実施例１と同様にしてセパレータを作製した。なお、前記セパレータにおける多孔質膜Ａ中の無機微粒子Ａの体積含有率は９０体積％であった。
【００８０】
（実施例３）
平均粒子径が１．０μｍの球状ベーマイトを無機微粒子Ａに用いた以外は、実施例１と同様にしてスラリーＡを調製した。また、ボールミルの解砕処理時間を１４時間としてスラリーＢを調製した以外は、実施例１と同様にしてスラリーＢを調製した。そして、これらのスラリーＡおよびスラリーＢを用いた以外は、実施例１と同様にしてセパレータを作製した。なお、前記セパレータにおける多孔質膜Ａ中の無機微粒子Ａの体積含有率は９０体積％であった。
【００８１】
（実施例４）
平均粒子径が２．０μｍの球状アルミナを無機微粒子Ａに用いた以外は、実施例１と同様にしてスラリーＡを調製し、このスラリーＡを用いた以外は、実施例１と同様にしてセパレータを作製した。
【００８２】
（実施例５）
ボールミルの解砕処理時間を５時間としてスラリーＢを調製した以外は、実施例１と同様にしてセパレータを作製した。なお、スラリーＢの調製に用いた解砕処理後の分散液の一部を１２０℃で真空乾燥し、ＳＥＭ観察をしたところ、ベーマイト粒子は板状粒子が一部凝集していた。
【００８３】
（比較例１）
スラリーＢに代えて実施例１で調製したスラリーＡを用いた以外は、実施例１と同様にしてセパレータを作製した。
【００８４】
（比較例２）
スラリーＡに代えて実施例１で調製したスラリーＢを用いた以外は、実施例１と同様にしてセパレータを作製した。
【００８５】
実施例１〜５および比較例１、２のセパレータについて、以下の方法によって熱収縮率を測定した。各セパレータを、それぞれ１０×１０ｃｍに切り出して試験片を作製し、これらの試験片を郵便用封筒の中に収めて、１５０℃に調整した恒温槽内に１時間放置した。その後各試験片の縦横両方の寸法を測定し、以下の式に基づいて熱収縮率を算出し、試験片の縦方向の熱収縮率と横方向の熱収縮率のうち、より大きい方の値を、そのセパレータの熱収縮率とした。
熱収縮率（％）  ＝  １００×（ａ−ｂ）／ｂ
（前記式中、ａ：恒温槽内に放置後の試験片の縦方向または横方向の長さ、ｂ：恒温槽に入れる前の試験片の縦方向または横方向の長さ、である。）
【００８６】
また、各実施例および比較例でセパレータの作製に用いたＰＥ製微多孔質膜についても、比較例３として同様の熱収縮率測定を行った。これらの結果を、多孔質層Ａおよび多孔質層Ｂに含まれる無機微粒子の形態と併せて表１に示す。
【００８７】
【表１】
2011065850.tif 000003
【００８８】
表１に示すように、実施例１〜５のセパレータは１５０℃の高温度に曝しても収縮率が低く、耐熱性に優れている。よって、これらのセパレータを用いてリチウム二次電池を構成した場合には、電池内温度が高くなっても、セパレータの収縮による正負極間の短絡を抑制することができるため、高い安全性を有する電池となる。一方、多孔質膜を形成していない比較例３のセパレータ（通常のセパレータ）は収縮率が高い。比較例１のセパレータも通常のセパレータである比較例５のセパレータより熱収縮率は低いが、実施例のセパレータにはおよばなかった。
【００８９】
次に、実施例１〜３および比較例１〜３の各セパレータを用いて、リチウム二次電池を作製した。
【００９０】
（実施例６）
（１）正極の作製
正極活物質であるＬｉＣｏＯ２：７０質量部、ＬｉＮｉ０．８Ｃｏ０．２Ｏ２：１５質量部、導電助剤であるアセチレンブラック：１０質量部、およびバインダであるＰＶＤＦ：５質量部を、Ｎ−メチル−２−ピロリドン（ＮＭＰ）を溶剤として均一になるように混合して、正極合剤含有ペーストを調製した。このペーストを、集電体となる厚みが１５μｍのアルミニウム箔の両面に間欠塗布し、乾燥した後、カレンダー処理を行って、全厚が１５０μｍになるように正極合剤層の厚みを調整し、幅４３ｍｍになるように切断して、正極を作製した。更にこの正極のアルミニウム箔の露出部にタブを溶接してリード部を形成した。
【００９１】
（２）負極の作製
平均粒径Ｄ５０％が１８μｍ、ｄ００２が０．３３８ｎｍ、比表面積が３．２ｍ２／ｇである黒鉛Ａと、平均粒径Ｄ５０％が１６μｍ、ｄ００２が０．３３６ｎｍの黒鉛Ｂを用い、ラマン分光法によりＲ値を求めた。黒鉛Ａまたは黒鉛Ｂの極微量を曇ガラスに付着させたものをターゲットとした。各サンプルフォルダーをレーザーラマン測定装置（Ｊｏｖａｎ Ｙｖｏｎ社製「Ｕ−１０００」）に設置し、１μｍに集光させたアルゴンイオンレーザー（波長５１４．５ｎｍ、出力２５０ｍＷ）を照射し、後方散乱によりラマン散乱を集光し、集光時間１ｓｅｃ、送りステップ１ｃｍ−１で１２００〜１８００ｃｍ−１の範囲を３回積算させてラマンスペクトルを得た。得られたラマンスペクトルから算出したＲ値は黒鉛Ａが０．１８、黒鉛Ｂが０．０５であった。
【００９２】
黒鉛Ａと黒鉛Ｂとを質量比８５：１５で混合した混合物：９８質量部と、カルボキシメチルセルロース：１質量部と、ＳＢＲ：１質量部とを、水の存在下で混合してスラリー状の負極合剤含有ぺーストを調製した。この負極合剤含有ペーストを、銅箔からなる厚みが１０μｍの集電体の両面に間欠塗布し、乾燥した後、カレンダー処理を行って全厚が１４２μｍになるように負極合剤層の厚みを調整した。共焦点レーザー顕微鏡を用いて求めた前記負極の負極合剤層表面の算術平均粗さ（Ｒａ）は、０．７５μｍであった。その後、これを幅４５ｍｍになるように切断して、負極を得た。更にこの負極の銅箔の露出部にタブを溶接してリード部を形成した。
【００９３】
（３）電池の組み立て
前記の正極と前記の負極と実施例１のセパレータとを、多孔質膜Ａを正極に、多孔質膜Ｂを負極にそれぞれ対向させつつ重ね合わせ、渦巻状に巻回して巻回電極体とした。この巻回電極体を押しつぶして扁平状にし、角形の外装缶内に装填した。更に、非水電解液（エチレンカーボネート、エチルメチルカーボネートを体積比で１：２に混合した溶媒に、ＬｉＰＦ６を濃度１．２ｍｏｌ／ｌで溶解し、シクロヘキシルベンゼンを溶媒１００質量部に対して１．０質量部の割合で添加したもの）を注入した後に封止を行ってリチウム二次電池を作製した。なお、この電池は、缶の上部に内圧が上昇した場合に圧力を下げるための開裂ベントを備えている。
【００９４】
（実施例７、８および比較例４〜６）
セパレータを表２に示すものに変更した以外は、実施例６と同様にしてリチウム二次電池を作製した。
【００９５】
（実施例９）
負極活物質に実施例６で用いたものと同じＲ値が０．０５の黒鉛Ｂのみを用いた以外は実施例６と同様にして負極を作製し、この負極を用いた以外は実施例６と同様にしてリチウム二次電池を作製した。
【００９６】
実施例６〜９および比較例４〜６のリチウム二次電池について、以下の特性試験を行った。これらの結果を表２に示す。
【００９７】
＜耐電圧試験＞
非水電解液注入前の実施例６〜９および比較例４〜６のリチウム二次電池各２０個に対して、５００Ｖ（ＡＣ６０Ｈｚ）の電圧を印可し、５ｍＡ以上の電流が流れた電池を不良とし、その発生個数を調べた。
【００９８】
耐電圧試験は、短絡をしていなくても電極間の距離が小さくなり、極端な場合、充放電サイクルに伴って容量低下しやすくなる充放電サイクル信頼性を、どの程度確保できるか知るための試験手段である。一定の耐電圧に対して、絶縁破壊が起こらなければ電極間距離が基準以上に保たれていることを意味する。ここでは差異を明確にするために高めの値で試験している。
【００９９】
耐電圧の試験電圧は、通常の短絡のチェックだけであれば正の電圧なら１Ｖでもよいが、更に信頼性を上げるためには５０Ｖ以上が望ましく、１００Ｖ以上がより望ましく、３００Ｖ以上が特に望ましい。また、試験電圧は高いに越したことはないが、過剰品質になるので２０００Ｖ以下が望ましい。更に、判定電流値は、コンデンサとしての電流は流れるので、Ａｈ値で表した場合の電池の０．２Ｃの放電容量をＧ（Ａｈ）としたとき、２Ｇ（ｍＡ）以上が望ましく、４Ｇ（ｍＡ）以上がより望ましい。また、判定電流値は、高く設定しすぎると検出率が下がるので、２０Ｇ（ｍＡ）以下が望ましく、１０Ｇ（ｍＡ）以下がより望ましい。今回の実施例および比較例の電池の放電容量Ｇは１．２（Ａｈ）であるので、５ｍＡは４Ｇ（ｍＡ）以上、１０Ｇ（ｍＡ）以下である。この耐電圧試験を電池製造工程に組みいれることにより、製造された電池の信頼性がさらに高くなるので望ましい。
【０１００】
＜負荷特性試験＞
実施例６〜９および比較例４〜６のリチウム二次電池について、１Ｃの定電流および４．２Ｖの定電圧における充電（充電時間は３時間規制）をし、その後０．２Ｃの定電流で電池電圧が２．７５Ｖになるまで放電して、０．２Ｃでの放電容量を得た。次に、各電池を前記と同様の条件で充電し、その後、２Ｃの定電流で電池電圧が２．７５Ｖになるまで放電して、２Ｃでの放電容量を得た。０．２Ｃでの放電容量に対する２Ｃでの放電容量の割合を百分率（％）で表して、各電池の負荷特性を評価した（表２では、「２Ｃ／０．２Ｃ容量割合」と記載している）。
【０１０１】
＜過充電試験＞
実施例６〜９および比較例４〜６のリチウム二次電池について、１Ｃの定電流で１５Ｖになるまで充電し、発火の有無を調べた。
【０１０２】
＜−５℃・１０％充電での充電電流測定＞
実施例６〜９および比較例４〜６のリチウム二次電池を−５℃の恒温槽内に５時間静置し、その後、各電池について、４．２Ｖまで１２００ｍＡ（１．０Ｃ）の定電流で充電を行い、４．２Ｖに達した後は４．２Ｖで定電圧充電を行い、充電深度（規格容量に対する実際に充電した容量の割合）が１０％に達したときの電流値を測定した。なお、表２では、各電池の電流値を、実施例９の電池の値を１００とした場合の相対値で示す。
【０１０３】
【表２】
2011065850.tif 000004
【０１０４】
表２に示すように、実施例６〜９のリチウム二次電池では、２Ｃ／０．２Ｃ容量割合が大きく、負荷特性が良好である。また、板状の無機微粒子Ｂを含有する多孔質膜Ｂを形成せずに、ＰＥ製微多孔質膜の両面に、塊状の無機微粒子Ａを含有する多孔質膜を形成した比較例１のセパレータを使用した比較例４の電池、および通常のセパレータである比較例３のセパレータを使用した比較例６の電池は、２Ｃ／０．２Ｃ容量割合が実施例６〜９の電池と同等であるが、前記の通り、使用したセパレータの熱収縮率が大きいため、高温下における安全性が実施例６〜９の電池よりも劣る。
【０１０５】
これに対し、ＰＥ製微多孔膜の両面に、板状の無機微粒子Ｂを含有する多孔質膜を形成した比較例２のセパレータを用いた比較例５の電池では、２Ｃ／０．２Ｃ容量割合が小さく、負荷特性が劣っている。
【０１０６】
また、実施例、比較例によらず、多孔質膜を形成したセパレータを用いた電池では、耐電圧試験における不良の発生がみられなかった。
【０１０７】
更に、実施例６〜９の電池は、シクロヘキシルベンゼンを含有する非水電解液を使用しており、過充電試験時に発火が見られず、過充電時の安全性が良好である。また、負極活物質にＲ値およびｄ００２が好適な黒鉛を使用した実施例６〜８の電池は、Ｒ値が小さい黒鉛を使用した実施例９よりも、−５℃・１０％充電における充電電流値が大きく、低温での充電特性が優れている。
【符号の説明】
【０１０８】
１  ポリオレフィン製微多孔質膜
２  多孔質膜Ａ
３  多孔質膜Ｂ
【図１】
2011065850.tif 000005